(57)【特許請求の範囲】
【請求項１】
壁面用機能部材に設けられた係止部が着脱自在に係止されて、壁面用機能部材を壁面に沿って支持する支持レールが、浴室壁面の壁面用機能部材取り付け予想位置に水平に固定されているとともに、壁面用機能部材が支持レールの長手方向にスライド可能になっている浴室ユニットであって、
前記支持レール２は、下方に開口し、室内側の下端縁が壁側に延出するとともに、支持レールの長手方向に連続した係止部２４を有し、前記開口２５が内部より狭くなったレール溝２３を備え、
前記壁面用機能部材３は、本体部３１ａの後端から立ち上がる垂下片３１ｂと、この垂下片３１ｂの上端から本体部３１ａ側に延出する係止片３１ｃとを備え、前記垂下片３１ｂの下端側を室内側に張り出すように傾けながら、この係止片３１ｃを前記支持レール２の開口２５からレール溝２３内に臨ませて、係止部２４に係合させて垂下片３１ｂを垂下状態することによって支持レール２に吊り下げ状態で支持されることを特徴とする浴室ユニット。
【請求項２】
支持レール２が、レール溝２３を有し、浴室壁面にビス固定される支持レール本体２１と、この支持レール本体２１を浴室内から視認できないようにカバーするカバー部材２２とを備えている請求項１に記載の浴室ユニット。
【請求項３】
支持レール２が、複数本浴室壁面の高さ方向に平行に設けられている請求項１または請求項２に記載の浴室ユニット。
【発明の詳細な説明】
【０００１】
【発明の属する技術分野】
本発明は、浴室ユニットに関する。
【０００２】
【従来の技術】
浴室ユニットの場合、その浴室壁面に、収納棚やシャワーフックなどの壁面用機能部材が取り付けられて、浴室内の備品整理や利便性を確保するようになっている。
しかし、従来の浴室ユニットの場合、収納棚やシャワーフックなどは、コストダウンを図るため、工場生産された壁パネルに予め取り付けられていることが多い。
【０００３】
また、現場で施工で壁パネルに取り付けられるが、いずれにしてもある程度規格化された位置にしか設けられていない。
したがって、すべての使用者に使い勝手のよいものではない。また、浴室の場合、水密性の問題もあり、後で棚を増やしたり、棚ややシャワーフックの位置を変更したりすることが難しい。
【０００４】
【発明が解決しようとする課題】
本発明は、このような事情に鑑みて、棚やシャワーフック等の壁面用機能部材の位置の変更や増設などを容易に行うことができる浴室ユニットを提供することを目的としている。
【０００５】
【課題を解決するための手段】
このような目的を達成するために、本発明の請求項１に記載の浴室ユニット（以下、「請求項１の浴室ユニット」と記す）は、壁面用機能部材に設けられた係止部が着脱自在に係止されて、壁面用機能部材を壁面に沿って支持する支持レールが、浴室壁面の壁面用機能部材取り付け予想位置に水平に固定されているとともに、壁面用機能部材が支持レールの長手方向にスライド可能になっている浴室ユニットであって、前記支持レールは、下方に開口し、室内側の下端縁が壁側に延出するとともに、支持レールの長手方向に連続した係止部を有し、前記開口が内部より狭くなったレール溝を備え、前記壁面用機能部材は、本体部の後端から立ち上がる垂下片と、この垂下片の上端から本体部側に延出する係止片とを備え、前記垂下片の下端側を室内側に張り出すように傾けながら、この係止片を前記支持レールの開口からレール溝内に臨ませて、係止部に係合させて垂下片を垂下状態することによって支持レールに吊り下げ状態で支持される構成とした。
【０００６】
本発明の請求項２に記載の浴室ユニット（以下、「請求項２の浴室ユニット」と記す）は、請求項１の浴室ユニットにおいて、支持レールが、レール溝を有し、浴室壁面にビス固定される支持レール本体と、この支持レール本体を浴室内から視認できないようにカバーするカバー部材とを備えている構成とした。
【０００７】
本発明の請求項３に記載の浴室ユニット（以下、「請求項３の浴室ユニット」と記す）は、請求項１または請求項２の浴室ユニットにおいて、支持レールが、複数本浴室壁面の高さ方向に平行に設けられている構成とした。
【０００８】
本発明において、壁面用機能部材とは、特に限定されないが、たとえば、小物棚、石桍トレー、シャワーフック、歯ブラシ立て、浴室清掃具用棚などが挙げられる。
【０００９】
【発明の実施の形態】
以下に、本発明の実施の形態を、図面を参照しつつ詳しく説明する。
図１は、本発明にかかる浴室ユニットの１つの実施の形態をあらわしている。
【００１０】
図１に示すように、この浴室ユニット１ａは、浴室Ｂの洗面化粧カウンターＣが設けられた壁面Ｗの化粧鏡Ｍと、洗面化粧カウンターＣとの間に、壁面全幅にわたって後述する壁面用機能部材の支持レール２が設けられている。
支持レール２は、図２に示すように、レール本体２１と、カバー部材２２とから構成されている。
【００１１】
レール本体２１は、ポリアセタールなどの樹脂によって形成されていて、ビス（図示せず）によって、壁面Ｗに固定されるようになっているとともに、長手方向全長にわたって下方に開口するレール溝２３を備えている。
レール溝２３は、図２に示すように、浴室内側の下端縁から壁面Ｗ側に向かって係止部２４が設けられていて、開口２５の幅が内部より狭くなっている。
【００１２】
カバー部材２２は、アルミニウムの押出成形体であって、レール本体２１の上面２６と係止部２４に上下の係止片２２ａ，２２ｂが弾性係止してレール本体２１を見栄えよく隠蔽するようになっている。
そして、この支持レール２には、図１に示すように、たとえば、壁面用機能部材としての棚部材３１やシャワーフック３２が取り付けられるようになっている。
【００１３】
すなわち、棚部材３１は、図２および図３に示すように、棚本体部３１ａと、この棚本体部３１ａの後端から立ち上がる垂下片３１ｂと、この垂下片３１ｂの上端から棚本体部３１ａ側に延出する係止片３１ｃとを備えている。
そして、この棚部材３１は、図２に示すように、係止片３１ｃをレール溝２３の開口２５からレール溝２３内に差し入れ、図３に示すように、垂下片３１ｂが壁面Ｗに沿うように係止片３１ｃを中心に回動させることによって、係止片３１ｃが係止部２４に係止されて支持レール２につり下げた状態に支持されるようになっている。また、係止片３１ｃが係止部２４に係止されるだけであるので、レール溝２３に沿って壁面Ｗの幅方向に自由にスライドさせることができる。
【００１４】
また、支持レール２には、図４〜図６に示すように、たとえば、歯ブラシポケット３３、小物入れ３４、鉤フック３５、石けん置き３６、ワイヤー収納棚３７等の壁面用機能部材が、棚部材３１と同様にしてその係止片３１ｃをレール溝２３に係止させることによって支持レール２に所望の位置に取り付けることができるようになっている。
なお、図１中、４はシャワーヘッド、５は浴槽、６は固定タイプのコーナー用棚である。
【００１５】
すなわち、この浴室ユニット１ａは、以上のように、壁面用機能部材が着脱自在な支持レール２を壁面に沿って備えているので、使用者の好みに応じて必要な壁面用機能部材を好みに応じた位置に設けることができる。
また、壁面用機能部材が支持レール２に沿ってスライド自在に係止されているので、壁面用機能部材の取付位置をミリ単位で微妙に調整できる。すなわち、使用者の好みに応じて、誰でもが容易に壁面用機能部材の取り付けを行うことができる。
【００１６】
図７および図８は、本発明にかかる浴室ユニットの第２の実施の形態をあらわしている。
【００１７】
図７および図８に示すように、この浴室ユニット１ｂは、化粧鏡Ｍと浴室の側壁面Ｗとの間に、短い支持レール２'、 ２'が化粧鏡Ｍと洗面化粧カウンターＣとの間の長い支持レール２に平行に設けられている以外は、上記の実施の形態と同様になっている。そして、たとえば、図６に示すように、高さ方向に棚部材３１を３段並べて配置したり、図７に示すように、異なる壁面用機能部材を高さ方向に並べて配置することができる。
すなわち、この浴室ユニット１ｂのようにすれば、高さ方向にも壁面用機能部材の取り付けバリエーションが増え、より使用者の好みに応じた機能を壁面に設けることができる。
【００１８】
なお、本発明にかかる浴室ユニットは、上記の実施の形態に限定されない。たとえば、上記の実施の形態では、支持レールが洗面化粧カウンターが設けられた壁面に沿って設けられているが、他の壁面に設けるようにしても構わない。
上記の実施の形態では、支持レール２の下方にレール溝２３が設けられていて、このレール溝２３に壁面用機能部材の係止片３１ｃが係止されることによって、壁面用機能部材が壁面に沿って取り付けられるようになっているが、支持レールの上面に沿ってレール溝を設け、このレール溝に壁面用機能部材の係止部を係止させるようにしても構わない。また、壁面用機能部材を係止させたのち、ボルト等によって支持レールに固定するようにしても構わない。
【００１９】
【発明の効果】
本発明にかかる浴室ユニットは、以上のように構成されているので、棚やシャワーフック等の壁面用機能部材の位置の変更や増設などを容易に行うことができる。
【００２０】
請求項２の浴室ユニットのようにすれば、壁面用機能部材の位置変更がより容易になる。
【００２１】
請求項３の浴室ユニットのようにすれば、支持レールを見栄えよく取り付けることができる。
【００２２】
請求項４の浴室ユニットのようにすれば、高さ方向にも壁面用機能部材の取り付けバリエーションが増え、より使用者の好みに応じた機能を壁面に設けることができる。
【図面の簡単な説明】
【図１】本発明にかかる浴室ユニットの１つの実施の形態をあらわす浴室内の正面図である。
【図２】図１の浴室ユニットの支持レールへの壁面用機能部材の取付方法を説明する断面斜視図である。
【図３】図１の浴室ユニットの支持レールへの壁面用機能部材の取付状態を説明する斜視図である。
【図４】図１の浴室ユニットの支持レールへの他の壁面用機能部材の取付状態を説明する斜視図である。
【図５】図１の浴室ユニットの支持レールへの他の壁面用機能部材の取付状態を説明する斜視図である。
【図６】図１の浴室ユニットの支持レールへの他の壁面用機能部材の取付状態を説明する斜視図である。
【図７】本発明にかかる浴室ユニットの他の実施の形態であって、支持レールへの壁面用機能部材の取付状態を説明する斜視図である。
【図８】図７の浴室ユニットの支持レールへの他の壁面用機能部材の取付状態を説明する斜視図である。
【符号の説明】
１ａ，１ｂ  浴室ユニット
２，２'  支持レール
２１  レール本体
２２  カバー部材
２３  レール溝
３１  棚部材（壁面用機能部材）
３２  シャワーフック（壁面用機能部材）
３３  歯ブラシ入れ（壁面用機能部材）
３４  小物入れ（壁面用機能部材）
３５  鉤フック（壁面用機能部材）
３６  石けん置き（壁面用機能部材）
３７  ワイヤー収納棚（壁面用機能部材）
３１ｃ  係止片（係止部）
Ｗ  壁面
【図１】
0004829444.tif 000002
【図２】
0004829444.tif 000003
【図３】
0004829444.tif 000004
【図４】
0004829444.tif 000005
【図５】
0004829444.tif 000006
【図６】
0004829444.tif 000007
【図７】
0004829444.tif 000008
【図８】
0004829444.tif 000009